(57)【特許請求の範囲】
【請求項１】
ユーザ装置（ＵＥ）（５０）における方法（１０００）であって、
一連のサブフレームを有するダウンリンク信号において、複数のサブフレームのそれぞれにおけるビームフォーミングされた基準信号を受信すること（１００２）であって、前記ビームフォーミングされた基準信号は、前記ダウンリンク信号のすべてのサブフレームより少ないサブフレームで受信される、ことと、
前記受信されたビームフォーミングされた基準信号の少なくとも第１のサブセットを使用してモビリティ管理測定を実行することと（１００４）、
前記モビリティ管理測定に使用されるビームフォーミングされた基準信号の前記第１のサブセットのうちの少なくともいくつかを使用して、無線リンク監視（ＲＬＭ）を実行すること（１００６）を含む、方法。
【請求項２】
請求項１に記載の方法（１０００）であって、ＲＬＭを実行すること（１００６）は、無線信号メトリックを取得するために、ビームフォーミングされた基準信号の前記第１のサブセットの前記少なくともいくつかを使用して１つ以上の測定を実行することと、所定の制御チャネル品質に対応する仮想制御チャネルが前記ビームフォーミングされた基準信号に適用されたものと同じビームフォーミング特性を使用して送信されるという仮定の下で、前記無線信号メトリックを前記所定のダウンリンク制御チャネル品質を表す閾値と比較することを含む、方法。
【請求項３】
請求項２に記載の方法（１０００）であって、１つ以上の追加の基準信号を使用して第１の制御チャネルを復調して、前記第１の制御チャネルに対するチャネルを推定することを更に含む、方法。
【請求項４】
請求項３に記載の方法（１０００）であって、前記第１の制御チャネルは、ＲＬＭを実行するために使用される前記ビームフォーミングされた基準信号を搬送する周波数リソースと少なくとも部分的に重なり合う周波数リソースにおいて受信される、方法。
【請求項５】
請求項１から４のいずれか１項に記載の方法であって、ＲＬＭを実行すること（１００６）は、ビームフォーミングされた基準信号の前記第１のサブセットの前記少なくともいくつかの測定に基づいて、前記ＵＥ（５０）が同期状態または同期外れ状態であると決定することを含む、方法。
【請求項６】
請求項１から５のいずれか１項に記載の方法（１０００）であって、前記受信されたビームフォーミングされた基準信号の前記第１のサブセットを使用してモビリティ管理測定を実行すること（１００４）は、前記受信されたビームフォーミングされた基準信号の前記第１のサブセットの１つ以上を使用して、第１のビームに対する信号品質を測定することと、前記受信されたビームフォーミングされた基準信号の前記第１のサブセットの１つ以上の異なるものを使用して、第２のビームに対する信号品質を測定することを含む、方法。
【請求項７】
請求項１から６のいずれか１項に記載の方法（１０００）であって、前記ＲＬＭを実行する前に、ＲＬＭに使用される前記ビームフォーミングされた基準信号の周期性を定義する１つ以上の構成パラメータを受信することを更に含む、方法。
【請求項８】
請求項７に記載の方法（１０００）であって、前記１つ以上の構成パラメータは、モビリティ管理測定に使用される前記ビームフォーミングされた基準信号の周期性を直接指定し、ＲＬＭに使用される前記ビームフォーミングされた基準信号の前記周期性は、モビリティ管理測定に使用される前記ビームフォーミングされた基準信号の前記周期性から決定される、方法。
【請求項９】
無線通信システムのアクセスノードにおける方法（８００）であって、
一連のサブフレームを有する第１のダウンリンク信号において、複数のサブフレームのそれぞれにおけるビームフォーミングされた基準信号を送信すること（８０４）であって、前記ビームフォーミングされた基準信号は、前記ダウンリンク信号のすべての前記サブフレームより少ないサブフレームで送信される、ことと、
前記ビームフォーミングされた基準信号の少なくとも第１のサブセットを使用してモビリティ管理測定を実行し、前記モビリティ管理測定に使用されたビームフォーミングされた基準信号の前記第１のサブセットの少なくともいくつかを使用して無線リンク監視（ＲＬＭ）を実行するように、ＵＥを構成すること（８０２）を含む、方法。
【請求項１０】
請求項９に記載の方法（８００）であって、第１の制御チャネルに対するチャネルを推定する際に前記ＵＥによって使用されるための１つ以上の追加の基準信号を送信することを更に含む、方法。
【請求項１１】
請求項１０に記載の方法（８００）であって、前記ビームフォーミングされた基準信号を搬送する周波数リソースと少なくとも部分的に重なり合う周波数リソースにおいて前記第１の制御チャネルを送信することを含む、方法。
【請求項１２】
請求項９から１１のいずれか１項に記載の方法（８００）であって、無線リンク監視（ＲＬＭ）に使用される前記ビームフォーミングされた基準信号の周期性を定義する１つ以上の構成パラメータを、前記ＵＥへ送信することを更に含む、方法。
【請求項１３】
請求項１２に記載の方法（８００）であって、前記１つ以上の構成パラメータは、モビリティ管理測定に使用される前記ビームフォーミングされた基準信号の周期性を直接指定し、それによりＲＬＭに使用される前記ビームフォーミングされた基準信号の前記周期性は、モビリティ管理測定に使用される前記ビームフォーミングされた基準信号の前記周期性から決定される、方法。
【請求項１４】
無線通信システムにおいて動作するように構成されたユーザ装置（ＵＥ）（５０）であって、
送受信器回路（５６）と、
前記送受信器回路（５６）と動作可能に関連付けられた処理回路（５２）であって、
一連のサブフレームを有するダウンリンク信号において、複数のサブフレームのそれぞれにおけるビームフォーミングされた基準信号を受信し、ここで前記ビームフォーミングされた基準信号は、前記ダウンリンク信号のすべてのサブフレームより少ないサブフレームで受信され、 
前記受信されたビームフォーミングされた基準信号の少なくとも第１のサブセットを使用してモビリティ管理測定を実行し、 
前記モビリティ管理測定に使用されるビームフォーミングされた基準信号の前記第１のサブセットのうちの少なくともいくつかを使用して、無線リンク監視（ＲＬＭ）を実行する、ように構成された処理回路を含む、ＵＥ。
【請求項１５】
請求項１４に記載のＵＥ（５０）であって、前記処理回路（５２）は、無線信号メトリックを取得するために、ビームフォーミングされた基準信号の前記第１のサブセットの前記少なくともいくつかを使用して１つ以上の測定を実行し、所定の制御チャネル品質に対応する仮想制御チャネルが前記ビームフォーミングされた基準信号に適用された同じビームフォーミング特性を使用して送信されるという仮定の下で、前記無線信号メトリックを前記所定のダウンリンク制御チャネル品質を表す閾値と比較することにより、ＲＬＭを実行するように構成される、ＵＥ。
【請求項１６】
請求項１５に記載のＵＥ（５０）であって、前記処理回路（５２）は、１つ以上の追加の基準信号を使用して第１の制御チャネルを復調し、前記第１の制御チャネルに対するチャネルを推定するように構成される、ＵＥ。
【請求項１７】
請求項１６に記載のＵＥ（５０）であって、前記第１の制御チャネルは、ＲＬＭを実行するために使用される前記ビームフォーミングされた基準信号を搬送する少なくとも部分的に重なり合う周波数リソースにおいて受信される、ＵＥ。
【請求項１８】
請求項１４から１７のいずれか１項に記載のＵＥであって、前記処理回路（５２）は、前記ビームフォーミングされた基準信号の前記第１のサブセットの前記少なくともいくつかの測定に基づいて、前記ＵＥ（５０）が同期状態または同期外れ状態であると決定することにより、ＲＬＭを実行するように構成される、ＵＥ。
【請求項１９】
請求項１４から１８のいずれか１項に記載のＵＥ（５０）であって、前記処理回路（５２）は、前記受信されたビームフォーミングされた基準信号の前記第１のサブセットの１つ以上を使用して、第１のビームに対する信号品質を測定し、前記受信されたビームフォーミングされた基準信号の前記第１のサブセットの１つ以上の異なるものを使用して、第２のビームに対する信号品質を測定することにより、前記受信されたビームフォーミングされた基準信号の前記第１のサブセットを使用してモビリティ管理測定を実行するように構成される、ＵＥ。
【請求項２０】
請求項１４から１９いずれか１項に記載のＵＥ（５０）であって、前記処理回路（５２）は、前記ＲＬＭを実行する前に、ＲＬＭに使用される前記ビームフォーミングされた基準信号の周期性を定義する１つ以上の構成パラメータを受信するように構成される、ＵＥ。
【請求項２１】
請求項２０に記載のＵＥ（５０）であって、前記１つ以上の構成パラメータは、モビリティ管理測定に使用される前記ビームフォーミングされた基準信号の周期性を直接指定し、ＲＬＭに使用される前記ビームフォーミングされた基準信号の前記周期性は、モビリティ管理測定に使用される前記ビームフォーミングされた基準信号の前記周期性から決定される、ＵＥ。
【請求項２２】
無線通信システムのアクセスノード（３０）であって、
送受信器回路（３６）と、
前記送受信器回路（３６）と動作可能に関連付けられた処理回路（３２）であって、
一連のサブフレームを有する第１のダウンリンク信号において、複数のサブフレームのそれぞれにおけるビームフォーミングされた基準信号を送信し、ここで前記ビームフォーミングされた基準信号は、前記ダウンリンク信号のすべての前記サブフレームより少ないサブフレームで送信され、
前記ビームフォーミングされた基準信号の少なくとも第１のサブセットを使用してモビリティ管理測定を実行し、前記モビリティ管理測定に使用されたビームフォーミングされた基準信号の前記第１のサブセットの少なくともいくつかを使用して無線リンク監視（ＲＬＭ）を実行するように、ＵＥを構成するように構成された処理回路を含む、アクセスノード。
【請求項２３】
請求項２２に記載のアクセスノード（３０）であって、前記処理回路（３２）は、無線リンク監視（ＲＬＭ）に使用される前記ビームフォーミングされた基準信号の周期性を定義する１つ以上の構成パラメータを、前記ＵＥ（５０）へ送信するように構成される、アクセスノード。
【請求項２４】
請求項２３に記載のアクセスノード（３０）であって、前記１つ以上の構成パラメータは、モビリティ管理測定に使用される前記ビームフォーミングされた基準信号の周期性を直接指定し、それによりＲＬＭに使用される前記ビームフォーミングされた基準信号の前記周期性は、モビリティ管理測定に使用される前記ビームフォーミングされた基準信号の前記周期性から決定される、アクセスノード。
【発明の詳細な説明】
【技術分野】
【０００１】
本開示は、一般的には無線通信システムに関し、より具体的にはそのようなシステムにおける無線リンク監視（ＲＬＭ）に関する。
【背景技術】
【０００２】
［ＬＴＥにおける無線リンク監視］
第３世代パートナーシッププロジェクト（３ＧＰＰ）によって開発されたロングタームエボリューション（ＬＴＥ）無線システムは、広く展開されている第４世代無線通信システムである。ＬＴＥおよびその先行システムにおいて、３ＧＰＰの文書では「ユーザ装置」または「ＵＥ」と呼ばれる無線デバイスにおけるＲＬＭ機能の目的は、ＲＲＣ＿ＣＯＮＮＥＣＴＥＤモードでサービングセルのダウンリンク無線リンク品質を監視することである。この監視は、常に特定のＬＴＥセルに関連付けられ、物理セル識別子（ＰＣＩ）から派生したセル固有参照信号（ＣＲＳ）に基づいている。３ＧＰＰ ＴＳ ３６．２１３、ｖ１４．０．０に記載されているように、ＲＬＭは、ＲＲＣ＿ＣＯＮＮＥＣＴＥＤモードにあるとき、ＵＥがそのサービングセルに関して同期状態か同期外れの状態かを決定することを可能にする。
【０００３】
ＣＲＳの測定値に基づくダウンリンク無線リンク品質のＵＥの推定値は、ＲＬＭの目的のために、それぞれ同期外れおよび同期の閾値、ＱｏｕｔおよびＱｉｎと比較される。これらの閾値は、サービングセルからの仮想物理下りリンク制御チャネル（ＰＤＣＣＨ）送信のブロック誤り率（ＢＬＥＲ）に関して標準化されている。具体的には、Ｑｏｕｔは１０％ＢＬＥＲに対応し、Ｑｉｎは２％ＢＬＥＲに対応する。間欠受信（ＤＲＸ）が使用されているか否かに関わらず、同じ閾値レベルが適用可能である。
【０００４】
ＣＲＳベースのダウンリンク品質と仮想のＰＤＣＣＨ ＢＬＥＲとの間のマッピングは、ＵＥの実装次第である。ただし、３ＧＰＰ  ＴＳ  ３６．５２１−１，ｖ１４．０．０に記載されているように、性能はさまざまな環境に対して定義された適合性テストによって検証される。また、ＰＤＣＣＨは全帯域にわたって送信されるので、図１に示すように、全帯域にわたるＣＲＳの基準信号受信電力（ＲＳＲＰ）に基づいてダウンリンク品質が計算される。
【０００５】
ＤＲＸが設定されていない場合、過去２００ミリ秒間に推定されたダウンリンク無線リンク品質が閾値Ｑｏｕｔより悪くなると、同期外れが発生する。同様に、ＤＲＸなしでは、最後の１００ミリ秒の期間に渡って推定されたダウンリンク無線リンク品質が閾値Ｑｉｎより良くなったときに同期が生じる。同期外れを検出すると、ＵＥは同期の評価を開始する。同期外れおよび同期の発生は、ＵＥの物理層によってその上位レイヤに内部的に報告され、それは次に無線リンク障害（ＲＬＦ）の評価のためにレイヤ３（すなわち上位レイヤ）フィルタリングを適用することができる。上位レイヤのＲＬＭ手順を図２に示す。
【０００６】
ＤＲＸが使用されているとき、十分なＵＥ電力節約を可能にするために同期外れおよび同期の評価期間が延長され、そして構成されたＤＲＸサイクル長に依存する。同期外れが発生したときはいつでも、ＵＥは同期評価を開始する。したがって、同期外れと同期の評価には同じ期間（ＴＥｖａｌｕａｔｅ＿Ｑｏｕｔ＿ＤＲＸ）が使用される。しかし、満了するまでＲＬＦタイマー（Ｔ３１０）を開始すると、同期の評価期間は１００ミリリ秒に短縮され、これはＤＲＸがない場合と同じである。タイマーＴ３１０がＮ３１１の連続する同期指示のために停止した場合、ＵＥはＤＲＸベースの期間（ＴＥｖａｌｕａｔｅ＿Ｑｏｕｔ＿ＤＲＸ）に従って同期の評価を実行する。
【０００７】
ＬＴＥにおけるＲＬＭに使用される方法論全体（すなわち、ＰＤＣＣＨ品質を「推定する」ためにＣＲＳを測定する）は、ＵＥがＬＴＥセルに接続され、単一の接続エンティティがＰＤＣＣＨとＣＲＳの両方を送信するという仮定に依存する。
【０００８】
［５Ｇの発展］
Ｎｅｗ  Ｒａｄｉｏ（ＮＲ）と題された新しい５Ｇ無線アクセス技術の研究項目では、企業は次の設計原理、すなわち、ＮＲに対するウルトラリーンデザイン（ｕｌｔｒａ−ｌｅａｎ  ｄｅｓｉｇｎ）とビームフォーミングの大規模な使用、についての最初の合意に達した。
企業は、ＲＬＭの設計時にビームフォーミングを考慮に入れるべきであるという見解を表明しているが、ＬＴＥではそうではない。更に、ＵＥがセルの品質をどのように測定すべきかに関して懸念が表明されている。
【０００９】
以下は、ＬＴＥの既存のソリューションと比較して、ＲＬＭの新しいソリューションの必要性を促進する可能性があるＮＲの原則の一部である。同期外れである、および／または同じベースバンドを共有していない、および／または非理想的バックホールを介してリンクされている、送信受信点（ＴＲＰ）にわたってＲＲＣシグナリングを使用するＮＲのビームベースモビリティソリューションのいくつかの態様も説明される。
【００１０】
［５Ｇ  ＮＲにおけるウルトラリーンデザイン］
ＮＲはウルトラリーンシステムであることが期待されており、それは常時オン送信の最小化を意味し、エネルギー効率の良い将来性のあるシステムを目指す。３ＧＰＰの初期の合意では、この原理は支持されており、ＮＲはリーンシステムであるべきであるという共通の理解がある。ＲＡＮ１＃８４ｂｉｓにおいて、ＲＡＮ１はウルトラリーンデザインに関して、将来の後方互換性の問題を引き起こすことなく、ＮＲが柔軟に利用またはブランクのままにできる時間および周波数リソースの量を最大化するよう努めることに同意した。ブランクのリソースは将来の使用に対して使用することができる。ＮＲはまた、設定可能／割り当て可能な時間／周波数リソース内で、常時接続信号の送信を最小限に抑え、信号およびチャネルを物理レイヤ機能性（信号、チャネル、シグナリング）に限定するように努めるものとする。
【００１１】
［５Ｇ  ＮＲにおけるビームフォーミング］
ＮＲは１００ＧＨｚまでの周波数範囲を考慮するという共通の理解がある。ＬＴＥに割り当てられている現在の周波数帯域と比較して、いくつかの新しい帯域は、より低い回折およびより高い屋外／屋内侵入損失等のはるかに困難な伝搬特性を有することになる。その結果、信号はコーナーの周りを伝播したり壁を貫通したりすることができなくなる。更に、高周波数帯では、大気／雨の減衰とボディロスの増加により、ＮＲ信号のカバー範囲がさらに一層まばらになる。幸運なことに、より高い周波数での動作はより小さなアンテナ素子を使用することを可能にし、それは多くのアンテナ素子を有するアンテナアレイを可能にする。そのようなアンテナアレイはビームフォーミングを容易にし、そこでは複数のアンテナ素子が狭いビームを形成するために使用され、それによって困難な伝搬特性を補償する。これらの理由から、ＮＲがカバレッジを提供するためにビームフォーミングに依存することは広く認められており、これはＮＲがビームベースシステムとしばしば呼ばれることを意味する。
【００１２】
また、ＮＲでは、アナログ、ハイブリッド、デジタルという異なるアンテナアーキテクチャをサポートする必要があることも知られている。これは、特にアナログ／ハイブリッドビームフォーミングの場合に、同時にいくつの方向をカバーできるかという点でいくつかの制限を意味する。所与の送信点（ＴＲＰ）／アクセスノード／アンテナアレイにおいて良好なビーム方向を見つけるために、ビーム掃引手順が通常用いられる。ビーム掃引手順の典型的な例は、同期信号および／またはビーム識別信号を含むビームを、いくつかの可能な方向のそれぞれにおいて、一度に１つまたは少数の方向に向けることである。これは図３に示されており、図示されている各ローブはビームを表しており、ビームは連続的に、掃引方式で、または同時に、または何らかの組み合わせで送信され得る。同じカバレッジ特性が各ビーム内の同期信号とビーム識別信号の両方に適用される場合、ＵＥはＴＲＰに同期するだけでなく、所与の位置で最良のビーム知識を得ることもできる。
【００１３】
上述したように、ＬＴＥにおける共通信号およびチャネルは全方向的に、すなわちビームフォーミングなしに送信される。ＮＲでは、基地局で多数のアンテナが利用可能であり、それらをビームフォーミング信号およびチャネルに組み合わせることができる様々な方法があるため、ＬＴＥで行われているように、この仮定はもはや有効ではないかもしれない。ＮＲビームフォーミングのその設計原理の主な結果は、ＬＴＥにおいてはＣＲＣの品質がＰＤＣＣＨの品質を推定するために使用され得ることは明らかであるが、ＮＲにおいて、チャネルおよび基準信号が異なる方法のためにこれは不明確になることである。言い換えれば、ＰＤＣＣＨが送信されるのと同じ方法で任意の特定の基準信号が送信されることを一般事項として想定することはできない。ＵＥの観点から見たこの曖昧さは、基準信号とチャネルがネットワークによって異なる種類のビームフォーミング方式を介して送信されることができるという事実によるものであり、それは典型的にはリアルタイムネットワーク要件に基づいて決定される。これらの要件は、例えば、基準信号対制御チャネルによる無線オーバーヘッドに対する異なる許容レベル、または基準信号対制御チャネルに対する異なるカバレッジ要件を含み得る。
【００１４】
ＮＲ設計原理からのこれらの課題にもかかわらず、接続モードのＮＲ ＵＥは、そのセル品質がまだ十分に良好であるかどうかを検証するために依然としてＲＬＭを実行する必要があり、その結果ＵＥはネットワークによって到達できる。そうでなければ、より高いレイヤに通知されるべきであり、そしてＵＥの自律的な行動が引き起こされるべきである。
【００１５】
［ＮＲにおけるモビリティ基準信号３ＧＰＰの合意］
３ＧＰＰの議論では、モビリティに関連する測定（例えば、ハンドオーバ、またはＨＯ）のためにＮＲでＵＥによって使用されるモビリティ基準信号（ＭＲＳ）について、いくつかの態様が合意されている。無線リソース制御（ＲＲＣ）およびビームを含むＲＲＣ＿ＣＯＮＮＥＣＴＥＤモードにおけるダウンリンクベースのモビリティについて、ＵＥは少なくとも１つ以上の個々のビームを測定し、ｇＮＢ（ＮＲ基地局に関する３ＧＰＰ用語）はＨＯを実行するためにそれらのビームを考慮するメカニズムを有するべきである。これは、少なくともｇＮＢ間ハンドオーバをトリガし、ＨＯピンポン／ＨＯ障害を回避するために必要である。ＵＥが複数のビームの個々の品質および／または組み合わせた品質を報告するかどうかが決定されるべきである。ＵＥはまた、アクティブモビリティにおける無線リソース管理（ＲＲＭ）測定のために、そのサービングセルからのビームと非サービングセルからのビームとを区別することができなければならない。ＵＥは、ビームがそのサービングセルからのものであるかどうかを判定できなければならない。サービング／非サービングセルが「サービング／非サービングビームセット」と称され得るかどうか、ＵＥが個別シグナリングを介して通知されるか、または何らかのブロードキャスト信号に基づいてＵＥによって暗黙的に検出されるか、接続中のセルがアイドル状態のセルとどのように関連しているか、および個々のビームからの測定値に基づいてセル品質をどのように導出すどうかはまだ決定されていない。
【００１６】
ＭＲＳの特定の設計に対する複数のソリューションが検討されているが、これらのいずれにおいても、ＵＥは、１組のＭＲＳを介してそのサービングセル内でＲＲＭ測定を実行する。ＵＥは、そのサービングセルに属する特定のＭＲＳを知っているので、ＵＥが検出し得る他のすべての基準信号は隣接していると仮定される。
【００１７】
ＭＲＳのような基準信号に対する送信ストラテジーは、時間および／または周波数における自由度および／またはコード／シーケンス次元における自由度を利用することができる。直交リソースにおいて異なるビームのための基準信号を送信することによって、ネットワークは、直交基準信号に対応するＵＥからこれらの信号に対応する別個の測定報告を得ることができる。
【発明の概要】
【００１８】
上述したように、ＬＴＥにおけるＲＬＭはＣＲＳがベースであり、ここで広帯域信号は全てのサブフレームにおいて送信される。ＮＲにおけるＲＬＭ設計に関するリーンデザイン原理の主な結果は、全てのサブフレームにおいて送信される広帯域信号のデザインを回避したいという願望があるということである。したがって、リーンデザインでは、ＮＲにおけるＲＬＭに同じＬＴＥソリューションを使用することは禁止される。
【００１９】
以下に詳細に説明されるのは、セルがリーンデザインでビームフォーミング方式で信号を送信している場合、すなわち全帯域で、かつ、すべてのサブフレームにわたって送信される常時参照信号なしで、無線デバイス（例えばＵＥ）がそのサービングセル品質を測定できる技術である。
【００２０】
本技術の実施形態は、接続モード（コネクティッドモード）モビリティをサポートするように構成された同じ周期的基準信号（ＭＲＳ）に基づいてＲＲＭ測定を実行することによってビームフォーミングを伴うシステムにおいてＲＬＭを実行するＵＥおよびネットワーク無線アクセスノードにおける方法を含む。ネットワーク側では、いくつかの実施形態では、無線アクセスノードは、ＲＬＭ目的のために再使用されるこれらの参照信号を送信するのと同じ方法で、ダウンリンク制御チャネル情報を（たとえば、ＰＤＣＣＨで）送信する。
【００２１】
本開示の文脈では、「ＲＬＭを実行する」とは、ＲＲＭ測定を実行し、所与のメトリック、例えば信号対干渉雑音比（ＳＩＮＲ）の値を、制御チャネルが同じ方法で、すなわち類似のビームフォーミング特性および／または類似または代表的な周波数リソースを用いて送信されたであろうという仮定の下でのダウンリンク制御チャネル品質を表す閾値と比較することを意味する。
【００２２】
実施形態の利点は、専用の静的／常時オンの周期的基準信号（ＲＳ）をネットワークに導入することなく、ＵＥが広範囲の時間−周波数リソースにわたって正確なＲＬＭ測定を行うことができることをネットワークが保証できることを含み得る。また、特にデータの非アクティブ時にＲＬＭ測定の精度を犠牲にすることなく、シグナリングオーバーヘッドを低レベルに維持できるという利点もある。
【００２３】
制御チャネルは、高い搬送波周波数でのカバレッジを改善するために、狭いＵＥ固有のビームで送信できる。開示される技術、より広いビームにフォールバックすることなく、そのような制御チャネル設計のためにＲＬＭ機能が確実に維持され得ることを保証するために使用され得る。
【００２４】
いくつかの実施形態によれば、ＵＥにおける方法は、一連のサブフレームを有するダウンリンク信号において、複数のサブフレームのそれぞれにおけるビームフォーミングされた基準信号を受信することを含み、当該ビームフォーミングされた基準信号は、ダウンリンク信号の全てのサブフレームより少ないサブフレームで受信される。方法はまた、受信したビームフォーミングされた基準信号の少なくとも第１のサブセットを使用してモビリティ管理測定を実行することと、当該モビリティ管理測定に使用されたものと同じビームフォーミングされた基準信号の少なくともいくつかを使用して、すなわち、受信したビームフォーミングされた基準信号の第１のサブセットの少なくともいくつかを使用して、ＲＬＭを実行することを含む。いくつかの実施形態では、ダウンリンク信号は、ビームフォーミングされた基準信号と同じ方法でビームフォーミングされた１つ以上の制御チャネルを含み得る。
【００２５】
いくつかの実施形態によれば、無線通信システムのアクセスノードにおける方法は、一連のサブフレームを有する第１のダウンリンク信号において、複数のサブフレームのそれぞれにおけるビームフォーミングされた基準信号を送信することを含み、当該ビームフォーミングされた基準信号は、ダウンリンク信号の全てのサブフレームより少ないサブフレームで送信される。方法はまた、ビームフォーミングされた基準信号の少なくとも第１のサブセットを使用してモビリティ管理測定を実行し、モビリティ管理測定に使用されたビームフォーミングされた基準信号の第１のサブセットの少なくともいくつかを使用して無線リンク監視を実行するようにＵＥを構成することを含む。当該構成することは、例えば、送信することの前に実行され得る。いくつかの実施形態では、送信することは、ビームフォーミングされた基準信号を送信するために使用されたものと同じビームフォーミングパラメータを使用して第１の制御チャネルを送信することを含む。
【００２６】
いくつかの実施形態によれば、無線通信システムにおける動作のために構成されたＵＥは、送受信器回路と、当該送受信器回路に関連付けられて動作する処理回路とを有する。処理回路は、一連のサブフレームを有するダウンリンク信号において、複数のサブフレームのそれぞれにおけるビームフォーミングされた基準信号を受信するように構成され、ここで、ビームフォーミングされた基準信号は、ダウンリンク信号のすべてのサブフレームより少ないサブフレームで受信される。処理回路はまた、受信したビームフォーミングされた基準信号の少なくとも第１のサブセットを使用してモビリティ管理測定を実行し、モビリティ管理測定のために使用されたビームフォーミングされた基準信号の第１のサブセットの少なくともいくつかを使用してＲＬＭを実行するように構成される。
【００２７】
いくつかの実施形態によれば、無線通信システムのアクセスノードは、送受信器回路と、当該送受信器回路に関連付けられて動作する処理回路とを有する。処理回路は、一連のサブフレームを有するダウンリンク信号において、複数のサブフレームのそれぞれにおけるビームフォーミングされた基準信号を送信するように構成され、ここで、ビームフォーミングされた基準信号は、ダウンリンク信号のすべてのサブフレームより少ないサブフレームで送信される。処理回路は、ビームフォーミングされた基準信号の少なくとも第１のサブセットを使用してモビリティ管理測定を実行し、モビリティ管理測定に使用されたビームフォーミングされた基準信号の第１のサブセットの少なくともいくつかを使用してＲＬＭを実行するようにＵＥを構成するように構成される。いくつかの実施形態では、処理回路は更に、ビームフォーミングされた基準信号を送信するために使用されたものと同じビームフォーミングパラメータを使用して第１の制御チャネルを送信するように構成される。
【００２８】
本発明の更なる態様は、上に要約された方法、ならびに上に要約された装置およびＵＥの機能的実装に対応する装置、コンピュータプログラム製品、またはコンピュータ可読記憶媒体を対象とする。
【００２９】
もちろん、本発明は上記の特徴および利点に限定されない。当業者は、以下の詳細な説明を読み、添付の図面を見れば、更なる特徴および利点を認識するであろう。
【図面の簡単な説明】
【００３０】
【図１】図１は、ダウンリンク送信帯域幅全体にわたってＰＤＣＣＨをどのようにどこにスケジュールすることができるかを示す。
【図２】図２は、ＬＴＥにおける高レイヤＲＬＭ手順を示す。
【図３】図３は、ビーム掃引手順を示す。
【図４】図４は、単一ＭＲＳの生成を示す。
【図５】図５は、時間および周波数領域におけるＭＲＳ設計を示す。
【図６】図６は、いくつかの実施形態に従う、本明細書に記載のＲＬＭ手順を容易にする基準信号送信の原理を示す。
【図７】図７は、いくつかの実施形態に従うネットワークノードのブロック図である。
【図８】図８は、いくつかの実施形態に従うネットワークノードにおける方法を示す。
【図９】図９は、いくつかの実施形態に従うＵＥのブロック図である。
【図１０】図１０は、いくつかの実施形態に従うＵＥにおける方法を示す。
【図１１】図１１は、いくつかの実施形態に従う、モビリティに使用されるＲＳが、５つのサブフレームごとに６つの隣接するＰＲＢ上で送信され得ることを示す図である。
【図１２】図１２は、いくつかの実施形態に従う、サービングＭＲＳセットに対する６つの異なる物理リソースブロック（ＰＲＢ）割り当ての構成が、異なるアクセスノードごとに異なり、異なるアクセスノードＩＤに一致し得ることを示す図である。
【図１３】図１３は、いくつかの実施形態に従うネットワークノードの機能的実施態様を示すブロック図である。
【図１４】図１４は、いくつかの実施形態に従うＵＥの機能的実施態様を示すブロック図である。
【発明を実施するための形態】
【００３１】
以下では、本発明の例示的な実施形態による概念を、添付の図面を参照しながらより詳細に説明する。例示された実施形態は、以下ではＵＥとも呼ばれる、無線デバイスによって実行される、そのような無線通信ネットワークにおける無線リンク監視、およびアクセスノードに関する。無線通信ネットワークは、例えば、ＬＴＥ ＲＡＴまたは３ＧＰＰ Ｎｅｗ Ｒａｄｉｏ（ＮＲ）の発展などの５Ｇ無線アクセス技術（ＲＡＴ）に基づき得る。しかしながら、図示の概念は他のＲＡＴにも適用可能であることを理解されたい。
【００３２】
本開示技術のいくつかの実施形態に関連するのは、ネットワークがどのようにサービングセルＭＲＳの品質とダウンリンク制御チャネルの品質との相関関係を保証するかである。これは、そのＵＥに対して構成されたＭＲＳを送信するために使用されたのと同じビームフォーミング構成（例えば、方向、ビーム幅、電力分布、同じアンテナパネルなど）を用いてダウンリンク制御チャネル情報をビームフォーミングすることによってネットワーク側で行われる。本明細書で使用されるように、用語「ＭＲＳ」および「モビリティ基準信号」は、接続モードモビリティをサポートするように構成され、および／または接続モードモビリティをサポートするために、すなわち、いつ他のビームおよび／またはセルへハンドオーバするかを決定するためにＵＥによる測定のために使用される基準信号を指すために使用される。当然のことながら、これらの基準信号の一部または全部は他の目的にも使用されてもよく、これらの基準信号は他の名称で知られていてもよい。
【００３３】
１つ以上のビームで送信されたＭＲＳの場合、異なる実施形態は、信号が搬送する情報を、例えば識別子に関して、様々な方法で定義することができる。いくつかの実施形態では、例えば、異なるＲＳが各ビームで送信され、各ＲＳはそれ自身のビーム識別子（ＢＩＤ）を運ぶ。この場合、基準信号はビーム固有ＲＳ（ＢＲＳ）と呼ばれることができ、ＵＥはビーム毎に、すなわち、個々のビーム毎のその特定のビームにおけるダウンリンク制御チャネルの送信品質に等しいＲＳＲＰを測定することでＲＬＭを実行することができる。他の実施形態では、同じＲＳが各ビームで送信されてもよく、各ＲＳは同じ識別子を搬送する。この識別子は、ＢＩＤ、セル識別子セルＩＤ（ＣＩＤ）とすることができるグループ識別子、またはビームＩＤ＋セルＩＤの両方とすることができる。これらの実施形態では、ＵＥは、時間領域でビームを区別すること、および／または同じ識別子を搬送するビームにわたって単に平均化を実行することができる。
【００３４】
図６は、本明細書に記載のＲＬＭ手順を容易にする基準信号送信の原理を示す。図６の左側に見られるように、各ビームはモビリティの目的のために無線デバイス（例えば、ＵＥ）に対して構成されているＲＳを搬送する。これらの参照信号は、本明細書ではモビリティ参照信号またはＭＲＳと呼ばれるが、それらは必ずしもその名前を持っていなくてもよい。「ＵＥに対して構成された」とは、サービングセル／ビーム信号および／または非サービングセル／ビーム信号に関して、ＲＲＣ＿ＣＯＮＮＥＣＴＥＤモードのＵＥに測定および報告条件に関する情報が提供されることを意味する。これらのＲＳは、様々な実施形態において、ＢＩＤ、ビームＩＤおよびグループＩＤ（例えばセルＩＤとして理解され得る）、または単にグループＩＤを搬送し得る。図６の右側に見られるように、ダウンリンク制御チャネル、例えば、ＰＤＣＣＨは、モビリティの目的のために使用されるＲＳと同じビームフォーミング特性を使用して送信される。これは、たとえ異なる時間に送信されたとしても、ダウンリンク制御チャネルをＲＳと「同じビーム」で送信することとして理解され得る。ダウンリンク制御チャネルは、チャネル推定およびチャネル復号化の目的で、異なるＲＳを搬送する（または関連付けることができる）ことに留意されたい。これらは、必ずしもそうとは限らないが、モビリティのために使用されるものとは完全に分離することができ、様々な実施形態では、セル固有、ＵＥ固有、および／またはビーム固有とすることができる。
【００３５】
図６に示す手法を考えると、ダウンリンク制御チャネルはＭＲＳと同じ方法でビームフォーミングされるので、ＲＬＭはＭＲＳ、すなわち複数のＲＳ（ＲＳ−１〜ＲＳ−Ｎ）上で実行することができることが理解されよう。測定されたＭＲＳの品質は、ダウンリンク制御チャネルの品質に直接対応するだろう。したがって、同期および同期外れ検出のための閾値は、ＬＴＥの場合と同じ方法で利用することができる。
【００３６】
本開示の技術のいくつかの実施形態の別の態様は、ＤＬ制御チャネルを送信するために使用される周波数リソースと相関する周波数リソースでＲＬＭに再使用されるこれらのＭＲＳをネットワークが送信することである。それにより、さらなる時間平均化が起こり得るにもかかわらず、指向性領域（ビーム領域と呼ばれることがある）と周波数領域の両方においてＲＳ品質が相関する。ここで「周波数領域で相関させる」とは、ＲＳの周波数リソースが、可能な全帯域幅内で、ダウンリンクチャネルに使用されるものと重複しているかまたは非常に近いことを示す。「再使用される」とは、特定の基準信号が移動性測定、すなわちＭＲＳとして、ならびに無線リンク監視（ＲＬＭ）に使用されることを意味する。
【００３７】
図７は、開示された技術のうちの１つ以上を実行するように構成され得るネットワークノード３０の図を示す。ネットワークノード３０は、基地局、無線基地局、無線基地局、発展型ノードＢ（ｅＮｏｄｅＢ）、ノードＢ、または中継ノードなどのネットワークアクセスノードを含むことができる任意の種類のネットワークノードとすることができる。以下に記載される非限定的な実施形態では、ネットワークノード３０は、ＮＲネットワークにおいてセルラーネットワークアクセスノードとして動作するように構成されているとして説明される。
【００３８】
当業者であれば、例えば処理回路３２による実行のための適切なプログラム命令の修正および／または追加を通じて、本明細書に記載の方法およびシグナリングプロセスのうちの１つ以上を実行するために各タイプのノードをどのように適合させるかを容易に理解するだろう。
【００３９】
ネットワークノード３０は、無線端末、他のネットワークアクセスノードおよび／またはコアネットワーク間の通信を容易にする。ネットワークノード３０は、データおよび／またはセルラー通信サービスを提供する目的で、コアネットワーク内の他のノード、無線ノード、および／またはネットワーク内の他のタイプのノードと通信するための回路を含む通信インターフェース回路３８を含み得る。ネットワークノード３０は、アンテナ３４および送受信器回路３６を使用してＵＥと通信する。送受信器回路３６は、セルラー通信サービスを提供する目的で、無線アクセス技術に従って信号を送受信するように集合的に構成された送信器回路、受信器回路、および関連する制御回路を含み得る。
【００４０】
ネットワークノード３０はまた、送受信器回路３６、および場合によっては通信インターフェース回路３８と動作可能に関連付けられた１つ以上の処理回路３２を含む。説明を容易にするために、１つ以上の処理回路３２は、以後「処理回路（circuit）３２」または「処理回路（circuitry）３２」と呼ばれる。処理回路３２は、１つ以上のマイクロプロセッサ、マイクロコントローラ、デジタル信号プロセッサ（ＤＳＰ）、フィールドプログラマブルゲートアレイ（ＦＰＧＡ）、コンプレックスプログラマブルロジックデバイス（ＣＰＬＤ）、特定用途向け集積回路（ＡＳＩＣ）などの１つ以上のデジタルプロセッサ４２、またはそれらの任意の組み合わせを備える。より一般的には、処理回路３２は、固定回路、または本明細書に教示された機能を実施するプログラム命令の実行を介して特別に構成されたプログラム可能回路を含み得る。プロセッサ４２は、マルチコア、すなわち、性能の向上、電力消費の低減、および複数タスクのより効率的な同時処理のために利用される２つ以上のプロセッサコアを有し得る。
【００４１】
処理回路３２はまた、メモリ４４を有する。いくつかの実施形態では、メモリ４４は、１つ以上のコンピュータプログラム４６、およびオプション的に設定データ４８を格納する。メモリ４４は、コンピュータプログラム４６に非一時的な記憶装置を提供し、ディスク記憶装置、固体メモリ記憶装置、またはそれらの任意の組み合わせなどの１つ以上の種類のコンピュータ可読媒体を含み得る。非限定的な例として、メモリ４４は、ＳＲＡＭ、ＤＲＡＭ、ＥＥＰＲＯＭ、およびＦＬＡＳＨメモリのうちのいずれか１つ以上含み、これらは処理回路３２内にあり、かつ／または処理回路３２とは別個であり得る。一般に、メモリ４４は、コンピュータプログラム４６およびネットワークアクセスノード３０によって使用される任意の構成データ４８の非一時的記憶を提供する１つ以上の種類のコンピュータ可読記憶媒体を備える。処理回路３２は、例えば、メモリ４４に格納された適切なプログラムコードを使用することによって、以下に詳述される方法および／またはシグナリングプロセスのうちの１つ以上を実行するように構成され得る。
【００４２】
いくつかの実施形態によれば、ネットワークノード３０は、セルがビームフォーミング方式で信号を送信している場合に、ＵＥがそのサービングセルの品質を測定することを可能にする無線通信システムのアクセスノードとして動作するように構成される。処理回路３２は、一連のサブフレームを有するダウンリンク信号において、複数のサブフレームのそれぞれにおけるビームフォーミングされた基準信号を送信するように構成され、ここで、ビームフォーミングされた基準信号は、ダウンリンク信号のすべてのサブフレームより少ないサブフレームで送信される。処理回路３２は、ビームフォーミングされた基準信号の少なくとも第１のサブセットを使用してモビリティ管理測定を実行し、モビリティ管理測定に使用されたビームフォーミングされた基準信号の第１のサブセットの少なくともいくつかを使用してＲＬＭを実行するようにＵＥを構成するように構成される。従って、これらのビームフォーミングされた基準信号は、ＭＲＳと称され得る。いくつかの実施形態では、処理回路３２は、ビームフォーミングされた基準信号を送信するために使用されたものと同じビームフォーミングパラメータを使用して第１の制御チャネルを送信するように構成され得る。
【００４３】
物理的な実装にかかわらず、処理回路３２は、いくつかの実施形態によれば、図８に示されるように、無線通信システムのアクセスノードにおいて方法８００を実行するように構成される。方法８００は、一連のサブフレームを有するダウンリンク信号において、複数のサブフレームのそれぞれにおけるビームフォーミングされた基準信号を送信することであって、ビームフォーミングされた基準信号は、ダウンリンク信号のすべてのサブフレームより少ないサブフレームで送信されること、を含む（ブロック８０４）。方法はまた、ビームフォーミングされた基準信号の少なくとも第１のサブセットを使用してモビリティ管理測定を実行し、モビリティ管理測定に使用されたビームフォーミングされた基準信号の第１のサブセットの少なくともいくつかを使用して無線リンク監視を実行するようにＵＥを構成することを含む（ブロック８０２）。いくつかの実施形態では、送信することは、ビームフォーミングされた基準信号を送信するために使用されたものと同じビームフォーミングパラメータを使用して第１の制御チャネルを送信することを含む。
【００４４】
方法８００は、第１の制御チャネルのためのチャネルを推定する際にＵＥによって使用するための１つ以上の追加の基準信号を送信すること、および／またはビームフォーミングされた基準信号を搬送する周波数リソースで少なくとも部分的に重なり合う周波数リソースで第１の制御チャネルを送信することを含み得る。ビームフォーミングされた基準信号は、第１のビームに対するビーム固有基準信号を含み得る。ビーム固有基準信号はビーム識別子を搬送することができ、方法８００はビーム固有基準信号からビーム識別子を復号することを含むことができる。
【００４５】
いくつかの実施形態の別の態様は、ビームフォーミングされた基準信号が周期的、かつ、まばらに送信される、すなわちすべてのサブフレームで送信されるのではないことである。しかしながら、ＲＬＭに必要とされる周期性は、測定報告をトリガするためにＲＲＭ測定に必要とされる周期性とは異なり得る。したがって、いくつかの実施形態では、ＵＥは、ＲＬＭのために送信されたＲＳからいくつかの特定のサンプルのみを選択することができ、これらのサンプル／サブフレームはおそらくネットワークによって構成されている。
【００４６】
場合によっては、例えば、ＵＥは、ビームフォーミングされた基準信号の周期性で構成され、規格内の予め定義されたＲＬＭ周期性に基づいて、ＲＬＭについてＲＲＭ測定を実行する。他の場合では、ＵＥは、両方の周期性、すなわち信号が送信される１つの周期性と、そのＤＲＸサイクルに一致するＲＬＭに使用されるべき周期性とについて通知される。
【００４７】
したがって、いくつかの実施形態では、方法８００は、無線リンク監視に使用されるビームフォーミングされた基準信号の周期性、ＲＬＭを定義する１つ以上の構成パラメータをＵＥに送信することを含む。構成パラメータは、ＲＬＭに使用されるビームフォーミングされた基準信号の周期性が、モビリティ管理測定に使用されるビームフォーミングされた基準信号の周期性から決定されるように、モビリティ管理測定に使用されるビームフォーミングされた基準信号の周期性を直接指定することができる。
【００４８】
図９は、無線デバイス５０として示される対応するＵＥの図を示す。無線デバイス５０は、セルラネットワーク内のＵＥなどのネットワーク内で動作することができる任意の無線端末を表すと見なすことができる。他の例は、通信デバイス、ターゲットデバイス、デバイス・ツー・デバイス（Ｄ２Ｄ）ＵＥ、マシンタイプＵＥ、またはマシンツーマシン通信（Ｍ２Ｍ）が可能なＵＥ、ＵＥを備えたセンサ、ＰＤＡ（パーソナルデジタルアシスタント）、タブレット、携帯端末、スマートフォン、ラップトップ内蔵機器（ＬＥＥ）、ラップトップ搭載機器（ＬＭＥ）、ＵＳＢドングル、顧客宅内機器（ＣＰＥ）等を含み得る。
【００４９】
無線デバイス５０は、アンテナ５４および送受信器回路５６を介して広域セルラネットワーク内の無線ノードまたは基地局と通信するように構成されている。送受信器回路５６は、セルラー通信サービスを使用する目的で、無線アクセス技術に従って信号を送受信するように集合的に構成された送信器回路、受信器回路、および関連する制御回路を含み得る。この説明では、この無線アクセス技術はＮＲである。
【００５０】
無線デバイス５０はまた、無線送受信器回路５６と動作可能に関連付けられた１つ以上の処理回路５２を含む。処理回路５２は、１つ以上のデジタル処理回路、例えば１つ以上のマイクロプロセッサ、マイクロコントローラ、ＤＳＰ、ＦＰＧＡ、ＣＰＬＤ、ＡＳＩＣ、またはそれらの任意の組み合わせを備える。より一般的には、処理回路５２は、固定回路、または本明細書に教示された機能を実施するプログラム命令の実行を介して特別に適合化されたプログラム可能回路を含み得る。処理回路５２はマルチコアであり得る。
【００５１】
処理回路５２はまた、メモリ６４を有する。いくつかの実施形態では、メモリ６４は、１つ以上のコンピュータプログラム６６、およびオプション的に設定データ５８を格納する。メモリ６４は、コンピュータプログラム６６に非一時的な記憶装置を提供し、ディスク記憶装置、固体メモリ記憶装置、またはそれらの任意の組み合わせなどの１つ以上の種類のコンピュータ可読媒体を含み得る。ここで、「非一時的」とは、恒久的、半永久的、または少なくとも一時的に持続的な記憶を意味し、例えばプログラム実行のための不揮発性メモリへの長期記憶と作業メモリへの記憶の両方を包含する。非限定的な例として、メモリ６４は、ＳＲＡＭ、ＤＲＡＭ、ＥＥＰＲＯＭ、およびＦＬＡＳＨメモリのうちのいずれか１つ以上含み、これらは処理回路５２内にあり、および／または処理回路５２とは別個であり得る。一般に、メモリ６４は、コンピュータプログラム６６およびユーザ装置５０によって使用される任意の構成データ６８の非一時的記憶を提供する１つ以上の種類のコンピュータ可読記憶媒体を備える。処理回路５２は、例えば、メモリ６４に格納された適切なプログラムコードを使用することによって、以下に詳述される方法および／またはシグナリングプロセスのうちの１つ以上を実行するように構成され得る。
【００５２】
無線デバイス５０は、いくつかの実施形態によれば、セルがビームフォーミング方式で信号を送信している場合のサービングセルの品質を測定するように構成される。したがって、処理回路５２は、一連のサブフレームを有するダウンリンク信号において、複数のサブフレームのそれぞれにおけるビームフォーミングされた基準信号を受信するように構成され、ここで、ビームフォーミングされた基準信号は、ダウンリンク信号のすべてのサブフレームより少ないサブフレームで受信される。処理回路５２はまた、受信したビームフォーミングされた基準信号の少なくとも第１のサブセットを使用してモビリティ管理測定を実行し、モビリティ管理測定のために使用されたビームフォーミングされた基準信号の第１のサブセットの少なくともいくつかを使用してＲＬＭを実行するように構成される。
【００５３】
いくつかの実施形態によれば、処理回路５２は、一連のサブフレームを有するダウンリンク信号において、複数のサブフレームのそれぞれにおけるビームフォーミングされた基準信号を受信することを含む方法を実行し、当該ビームフォーミングされた基準信号は、ダウンリンク信号の全てのサブフレームより少ないサブフレームで受信される。方法１０００はまた、受信したビームフォーミングされた基準信号の少なくとも第１のサブセットを使用してモビリティ管理測定を実行すること（ブロック１００４と）、モビリティ管理測定のために使用されたビームフォーミングされた基準信号の第１のサブセットの少なくともいくつかを使用してＲＬＭを実行すること（ブロック１００６）を含む。
【００５４】
いくつかの場合では、ＲＬＭを実行することは、無線信号メトリックを取得するために、ビームフォーミングされた基準信号の第１のサブセットの少なくともいくつかを使用して１つまたは複数の測定を実行することと、所定の制御チャネル品質に対応する仮想制御チャネルがビームフォーミングされた基準信号に適用された同じビームフォーミング特性を使用して送信されるという仮定の下で、無線信号メトリックを所定のダウンリンク制御チャネル品質を表す閾値と、比較することを含む。方法１０００はまた、第１の制御チャネルに対するチャネルを推定するために１つ以上の追加の基準信号を使用して第１の制御チャネルを復調することを含む。第１の制御チャネルは、ＲＬＭを実行するために使用されるビームフォーミングされた基準信号を搬送する少なくとも部分的に重なり合う周波数リソースにおいて受信され得る。
【００５５】
ＲＬＭを実行することはまた、ビームフォーミングされた基準信号の第１のサブセットのうちの少なくともいくつかの測定値に基づいて、ＵＥが同期状態または同期外れ（非同期）状態であると決定することを含む。
【００５６】
いくつかの実施形態によれば、方法１０００は、受信されたビームフォーミングされた基準信号の第１のサブセットの１つ以上を用いて、第１のビームに対する信号品質を測定することにより、受信されたビームフォーミングされた基準信号の第１のサブセットを用いてモビリティ管理測定を実行することと、受信されたビームフォーミングされた基準信号の第１のサブセットの１つ以上の異なるものを使用して、第２のビームに対する信号品質を測定することを含む。
【００５７】
ビームフォーミングされた基準信号の第１のサブセットの少なくともいくつかは、第１のビームに対するビーム固有の基準信号を含み、ＲＬＭを実行することは、ビーム固有の基準信号を使用して第１のビームに対するＲＬＭを実行することを含み得る。ビーム固有基準信号はビーム識別子を搬送することができ、方法１０００はビーム固有基準信号からビーム識別子を復号することを含み得る。
【００５８】
いくつかの場合では、方法１０００は、ＲＬＭを実行する前に、ＲＬＭに使用されるビームフォーミングされた基準信号の周期性を定義する１つ以上の構成パラメータを受信することを含む。構成パラメータは、モビリティ管理測定に使用されるビームフォーミングされた基準信号の周期性を直接指定することができ、ＲＬＭに使用されるビームフォーミングされた基準信号の周期性は、モビリティ管理測定に使用されるビームフォーミングされた基準信号の周期性から決定することができる。
【００５９】
図１１に示す構成例に見られるように、モビリティに使用されるＲＳの送信は、ＤＬ制御チャネル品質と一致するように、時間および周波数領域において、ＲＲＭおよび同期機能に対してまばらに構成することができる。例えば、モビリティのために使用されるＲＳ、すなわちＭＲＳは、図１１に示されるように、５つのサブフレームごとに６つの隣接するＰＲＢ上で送信されることができる。一部の実施形態では、図１２に示すように、サービングＭＲＳセットに対する６つの異なるＰＲＢ割り当ての構成は、異なるアクセスノードごとに異なる可能性があり、異なるアクセスノードＩＤに一致する可能性がある。この例では、３つの異なるアクセスノードまたはサービングセルがノード識別子ノードＩＤ−１、ノードＩＤ−２等を有し、ＭＲＳに対して異なるセットのＰＲＢ割り当てを利用し、ここで特定の割り当てはノード識別子から導出可能であり得る。これらは、例えば、所与のＵＥについてのモビリティ測定のための構成されたＭＲＳセットを構成し得る。サービングＭＲＳセットに対する時間−周波数リソース割り当てのこの量は、ＬＴＥ ＰＳＳ／ＳＳＳに匹敵し、それらは両方とも５つのサブフレームごとに６つのＰＲＢで送信されることに留意されたい。もちろん、周波数領域における異なるサイズの構成と同様に、異なる周期性も可能である。
【００６０】
しかしながら、サービングＭＲＳセット内のＭＲＳのそのような時間−周波数リソース粒度は、リソースグリッド上でＰＤＣＣＨが発生するほど豊富ではない。ＲＬＭ手順中の測定サンプル数は十分であるべきであり、サンプルはダウンリンク送信帯域幅全体にわたって多くのサブキャリアでとられるべきである。サービングＭＲＳセットのサブキャリア割り当てのための再構成は、ＤＬ制御チャネルのための局所的（localized）方式または分散的（distributed）方式に基づくことができる。局所的方式は、より少ないＵＥ計算を必要とし得るが、分散的方式は、周波数選択的チャネルにおいてより良い精度を提供し得る。
【００６１】
ＲＬＭ機能に対するＭＲＳセットの周期的ＲＳの使用は、これらのＭＲＳがモビリティ測定および同期化の目的でネットワークによって既に提供されているので、ネットワーク無線リソースに対する最小限のシグナリング負担を伴うソリューションである。
【００６２】
本明細書で説明される技術は、３ＧＰＰ ５Ｇ ＮＲのリーンシグナリング原理に違反することなく、ＵＥにおいてＲＬＭ機能のための基準信号測定を実行するための構成可能で動的な方法を提供する。これらの技術によって可能にされる重要な利点は、異なる展開（例えばビーム数）およびトラフィック（例えばユーザ数、データアクティビティ／非アクティブ）シナリオに対して限られた数のまばら（疎）な参照信号をネットワークが柔軟に構成できる効率の向上である。
【００６３】
上記で詳細に論じたように、例えば図８および図１０のプロセスフロー図に示すように、本明細書に記載の技術は、１つ以上のプロセッサによって実行されるコンピュータプログラム命令を使用して全体または部分的に実施できる。当然のことながら、これらの技法の機能的実装は、適切なプロセッサ内で実行されるソフトウェアの機能単位、または機能的デジタルハードウェア回路、またはその両方の何らかの組合せに対応する機能モジュールに関して表すことができる。
【００６４】
図１３は、ネットワークノード３０内など、無線通信ネットワークのアクセスノード内に実装され得る例示的な機能モジュールまたは回路の構造を示す。機能的実装は、一連のサブフレームを有する第１のダウンリンク信号において、複数のサブフレームのそれぞれにおいてビームフォーミングされた基準信号を送信するための送信モジュール１３０４を含み、ここで、ビームフォーミングされた基準信号は、ダウンリンク信号のすべてのサブフレームより少ないサブフレームで送信される。機能的実装はまた、ビームフォーミングされた基準信号の少なくとも第１のサブセットを使用してモビリティ管理測定を実行し、モビリティ管理測定に使用されたビームフォーミングされた基準信号の第１のサブセットの少なくともいくつかを使用して無線リンク監視を実行するようにＵＥを構成するための構成モジュール１３０２を含む。いくつかの実施形態では、送信することは、ビームフォーミングされた基準信号を送信するために使用されたものと同じビームフォーミングパラメータを使用して第１の制御チャネルを送信することを含み得る。
【００６５】
図１４は、無線通信ネットワークにおける動作に適合した無線デバイス５０において実施され得るような例示的な機能モジュールまたは回路の構造を示す。この実装は、一連のサブフレームを有するダウンリンク信号において、複数のサブフレームのそれぞれにおいてビームフォーミングされた基準信号を受信するための受信モジュール１４０２を含み、ここで、ビームフォーミングされた基準信号は、ダウンリンク信号のすべてのサブフレームより少ないサブフレームで受信される。この実装はまた、受信したビームフォーミングされた基準信号の少なくとも第１のサブセットを使用してモビリティ管理測定を実行するためのモビリティ管理モジュール１４０４と、モビリティ管理測定に使用されたビームフォーミングされた基準信号の第１のサブセットの少なくともいくつかを使用して無線リンク監視を実行するための無線リンク監視モジュール１４０６を含む。
【００６６】
当然のことながら、本発明は、本発明の本質的な特徴から逸脱することなく、本明細書に具体的に記載されたもの以外の方法で実施することができる。本実施形態は、あらゆる点で例示的であり限定的ではないと見なされるべきである。
【図１】
0006889257.tif 000002
【図２】
0006889257.tif 000003
【図３】
0006889257.tif 000004
【図４】
0006889257.tif 000005
【図５】
0006889257.tif 000006
【図６】
0006889257.tif 000007
【図７】
0006889257.tif 000008
【図８】
0006889257.tif 000009
【図９】
0006889257.tif 000010
【図１０】
0006889257.tif 000011
【図１１】
0006889257.tif 000012
【図１２】
0006889257.tif 000013
【図１３】
0006889257.tif 000014
【図１４】
0006889257.tif 000015